(57)【特許請求の範囲】
【請求項１】
コンクリート薄板の上面にトラス筋を所定の間隔で平行に植え込んだ複数のＰＣ基板を、トラス筋と直交する方向に並べて側端部どうしを突き合わせた状態で配置し、各ＰＣ基板の継目と交叉するように複数のジョイント筋を配筋し、各ＰＣ基板上にコンクリートを打設してトラス筋およびジョイント筋を覆い、各ＰＣ基板を一体に接合したコンクリートスラブにおいて、前記各ＰＣ基板の継目の両側に位置するトラス筋を、前記各ＰＣ基板のコンクリート面からやや突出する程度に低くして、その上に前記各ジョイント筋を載せるようにしたことを特徴とするコンクリートスラブ。
【請求項２】
前記各ジョイント筋として、両端部が曲がったものを使用した請求項１に記載のコンクリートスラブ。
【請求項３】
前記各ジョイント筋を所定の間隔で一体に連結してユニット化した請求項１または２に記載のコンクリートスラブ。
【請求項４】
前記各ジョイント筋を網状に連結した請求項３に記載のコンクリートスラブ。
【請求項５】
前記各ＰＣ基板がそのトラス筋間にボイド型枠を載せたものであり、前記各ＰＣ基板の継目を挟んで対向するボイド型枠どうしの間に前記各ジョイント筋を配置した請求項１乃至４のいずれかに記載のコンクリートスラブ。
【発明の詳細な説明】
【０００１】
【発明の属する技術分野】
この発明は、集合住宅の床等に用いられる鉄筋コンクリート製のスラブに関する。
【０００２】
【従来の技術】
近年、集合住宅やオフィスビル等の建築物の床材や天井材に用いられるコンクリートスラブには、工場で予めトラス筋を植え込んだＰＣ（プレキャストコンクリート）基板を形成しておき、これらのＰＣ基板を施工現場で並べて配置し、コンクリートを打設して一体に接合するものが多い。その中でも、工場で各ＰＣ基板のトラス筋間にボイド型枠を載せておき、これらのボイド型枠を現場打ちコンクリート内に埋め込んで遮音性を高めた中空タイプのものが多用されている。
【０００３】
図３（ａ）、（ｂ）は、上述したような中空タイプのコンクリートスラブの一例を示す。このコンクリートスラブは、コンクリート薄板の上面にトラス筋５１が平行に植え込まれ、トラス筋５１間にボイド型枠５２が載せられた複数のＰＣ基板５３を一体に接合したものである。各ＰＣ基板５３は、トラス筋５１と直交する方向に並べられて側端部どうしを突き合わせた状態で配置されており、各ＰＣ基板５３の継目５４と交叉するように、ジョイント筋５５が配筋されている。そして、各ＰＣ基板５３上に打設された現場打ちコンクリート５６により、トラス筋５１、ボイド型枠５２およびジョイント筋５５が覆われ、各ＰＣ基板５３が一体に接合されている。
【０００４】
前記ジョイント筋５５は、その長さが基板継目５４を挟んで対向するボイド型枠５２どうしの間隔よりもかなり長いため、基板継目方向で隣接するボイド型枠５２どうしの隙間に納まるようにトラス筋５１の脚の間を通されている。なお、ジョイント筋５５の長さは、スラブの設計の際に、ジョイント筋５５がコンクリート５６に確実に定着して応力伝達し、継目部の強度を確保するように決定されている。
【０００５】
また、ジョイント筋５５とＰＣ基板５３のコンクリート面との間には、ジョイント筋５５のコンクリートかぶりを確保するためのスペーサ筋５７が基板継目方向に沿って配筋されている。
【０００６】
【発明が解決しようとする課題】
上述した従来の中空コンクリートスラブでは、施工現場でＰＣ基板の配置が完了した後に、ＰＣ基板の継目の両側にスペーサ筋を配筋したうえで、多数の長いジョイント筋を、基板継目方向で隣り合うボイド型枠どうしの狭い隙間に納まるように、１本ずつトラス筋の脚の間に通して配置していく必要があり、この配筋作業にかなり手間がかかる。
【０００７】
また、ジョイント筋を配置できる場所がボイド型枠の配置によって限定されるので、ジョイント筋の必要本数が多いほど、ボイド型枠とジョイント筋との間およびジョイント筋どうしの間に適切な間隔をとりにくくなり、配筋作業がさらに面倒なものとなるほか、配筋位置が数カ所に集中することにより継目部に強度の偏りができ、構造的にもよくない。
【０００８】
一方、ボイド型枠を埋め込まないコンクリートスラブでは、ジョイント筋の配置に制約はないが、多数の長いジョイント筋を１本ずつトラス筋の脚の間に通す作業には、やはり手間がかかる。
【０００９】
そこで、この発明は、複数のＰＣ基板を接合して形成するコンクリートスラブにおいて、強度を確保しつつ施工性を向上させることを課題とする。
【００１０】
【課題を解決するための手段】
上記の課題を解決するため、この発明は、コンクリート薄板の上面にトラス筋を所定の間隔で平行に植え込んだ複数のＰＣ基板を、トラス筋と直交する方向に並べて側端部どうしを突き合わせた状態で配置し、各ＰＣ基板の継目と交叉するように複数のジョイント筋を配筋し、各ＰＣ基板上にコンクリートを打設してトラス筋およびジョイント筋を覆い、各ＰＣ基板を一体に接合したコンクリートスラブにおいて、前記各ＰＣ基板の継目の両側に位置するトラス筋を、前記各ＰＣ基板のコンクリート面からやや突出する程度に低くして、その上に前記各ジョイント筋を載せるようにした構成を採用したのである。
【００１１】
すなわち、各ＰＣ基板の継目の両側に位置するトラス筋を、各ＰＣ基板のコンクリート面からやや突出する程度に低くして、その上に各ジョイント筋を載せるようにすることにより、ジョイント筋のコンクリートかぶりを確保してスペーサ筋の配筋を不要とするとともに、各ジョイント筋を基板継目両側のトラス筋の脚の間に通す手間を省いて、ジョイント筋の配筋作業が簡単に行えるようにしたのである。
【００１２】
前記各ジョイント筋として、両端部が曲がったものを使用することにより、ジョイント筋のコンクリートへの定着性を維持して継目部の強度を確保しながら、ジョイント筋を短くして取り扱いやすくすることができる。
【００１３】
前記各ジョイント筋を予め所定の間隔で一体に連結してユニット化しておくことにより、現場での作業をさらに簡素化することができる。このとき、前記各ジョイント筋を網状に連結することにより、継目部の強度を確保しながらジョイント筋を短くすることができる。
【００１４】
また、前記各ＰＣ基板がそのトラス筋間にボイド型枠を載せたものである場合は、前記各ＰＣ基板の継目を挟んで対向するボイド型枠どうしの間に前記各ジョイント筋を配置することにより、配筋作業をより簡単にすることができる。
【００１５】
【発明の実施の形態】
以下、図１および図２に基づき、この発明の実施形態を説明する。図１（ａ）、（ｂ）は第１の実施形態を示す。このコンクリートスラブは、コンクリート薄板の上面にトラス筋１ａ、１ｂが平行に植え込まれ、トラス筋１ａ、１ｂ間にボイド型枠２ａ、２ｂが載せられた複数のＰＣ基板３を一体に接合した中空タイプのものである。各ＰＣ基板３は、トラス筋１ａ、１ｂと直交する方向に並べられて側端部どうしを突き合わせた状態で配置されており、各ＰＣ基板３の継目４と交叉するように、複数のジョイント筋５が配筋されている。そして、各ＰＣ基板３上に打設された現場打ちコンクリート６により、トラス筋１ａ、１ｂ、ボイド型枠２ａ、２ｂおよびジョイント筋５が覆われ、各ＰＣ基板３が一体に接合されている。
【００１６】
前記各トラス筋１ａ、１ｂのうち、基板継目４の両側に配されたトラス筋１ａは、上端部が僅かにＰＣ基板３のコンクリート面から突出するように植え込まれており、その上にジョイント筋５が載せられるようになっている。
【００１７】
前記各ジョイント筋５としては、両端部が鉤状に曲げられて従来のジョイント筋の１／２程度の扱いやすい長さとされたものが使用されている。そして、各ジョイント筋５は、配筋本数に応じた所定の間隔をおいて平行に配された状態で、長手方向中央部を連結筋７により連結され、ジョイント筋ユニット８を形成している。
【００１８】
また、前記各ボイド型枠２ａ、２ｂのうち、基板継目４の両側に配されたボイド型枠２ａは、その他のボイド型枠２ｂよりも狭幅に形成されており、基板継目４を挟んで対向するボイド型枠２ａ、２ａどうしの間にジョイント筋ユニット８を配置できるようになっている。
【００１９】
すなわち、このコンクリートスラブでは、施工現場でのジョイント筋の配筋作業は、予め形成しておいたジョイント筋ユニット８を基板継目４両側のトラス筋１ａ上に載せて固定するだけでよく、作業が極めて簡単である。
【００２０】
しかも、ジョイント筋５は、コンクリートかぶりが確保され、かつ基板継目４に近い位置に配筋することができ、両端の鉤状部５ａによりコンクリート６への定着しやすさも従来の長いジョイント筋とほぼ同等であるため、コンクリートスラブの継目部の強度も十分に確保されている。
【００２１】
また、ジョイント筋をユニット化せずに１本ずつ配筋するようにした場合は、上述のようにユニット化する場合に比べると現場での作業量は若干増えるが、必要本数に応じて配筋ピッチを調整でき、スペーサ筋を配筋したり、ジョイント筋をトラス筋の脚の間に通したりする必要がないという利点は同じである。すなわち、ジョイント筋をユニット化しない場合でも、施工性は従来よりも大幅に改善される。
【００２２】
図２（ａ）、（ｂ）は第２の実施形態を示す。この実施形態では、各ボイド型枠９はすべて同じ寸法であり、各ジョイント筋１０が、基板継目４を挟んで対向するボイド型枠９、９どうしの間に納まる長さに形成されて、連結筋１１により網状に連結されている。各ジョイント筋１０は従来よりもかなり短いが、連結筋１１をジョイント筋１０と直交させて配し、さらにこれらを連結することにより継目部の強度が確保されるようになっている。その他の部分の構成は第１の実施形態と同じである。
【００２３】
従って、この実施形態のコンクリートスラブも、施工現場での配筋作業は、予め網状に連結したジョイント筋１０を基板継目４両側のトラス筋１ａ上に載せて固定するだけでよく、優れた施工性を有している。
【００２４】
なお、特許請求の範囲の請求項１乃至４に記載の発明は、複数のＰＣ基板を接合して形成するコンクリートスラブであれば、ボイド型枠の有無によらず適用することができる。
【００２５】
【発明の効果】
以上のように、この発明のコンクリートスラブでは、各ＰＣ基板の継目の両側に位置するトラス筋を、各ＰＣ基板のコンクリート面からやや突出する程度に低くして、その上に各ジョイント筋を載せるようにしたので、ジョイント筋のコンクリートかぶり確保のためのスペーサ筋を配筋したり、ジョイント筋を基板継目両側のトラス筋の脚の間に通したりする必要がない。従って、従来のコンクリートスラブに比べて施工現場での配筋作業が簡単で、施工性に優れている。
【００２６】
前記各ジョイント筋として、両端部が曲がったものを使用することにより、継目部の強度を確保しながら、ジョイント筋を短くして取り扱いやすくすることができる。また、各ジョイント筋をＰＣ基板の中央側のトラス筋の脚の間に通さなくてすむようにすることもできる。
【００２７】
前記各ジョイント筋を予め所定の間隔で一体に連結してユニット化しておくことにより、現場での作業をさらに簡素化することができる。このとき、前記各ジョイント筋を網状に連結することにより、継目部の強度を確保しながらジョイント筋を短くすることができる。
【００２８】
また、前記各ＰＣ基板がそのトラス筋間にボイド型枠を載せたものである場合は、前記各ＰＣ基板の継目を挟んで対向するボイド型枠どうしの間に前記各ジョイント筋を配置することにより、配筋作業をより簡単にすることができるし、各ジョイント筋を等間隔で配置して継目部の強度の偏りをなくし、構造面での改善を図ることもできる。
【図面の簡単な説明】
【図１】ａは第１の実施形態のコンクリートスラブの要部の正面断面図、ｂはａの現場打ちコンクリートを除いた上面図
【図２】ａは第２の実施形態のコンクリートスラブの要部の正面断面図、ｂはａの現場打ちコンクリートを除いた上面図
【図３】ａは従来のコンクリートスラブの要部の正面断面図、ｂはａの現場打ちコンクリートを除いた上面図
【符号の説明】
１ａ、１ｂ  トラス筋
２ａ、２ｂ  ボイド型枠
３  ＰＣ基板
４  基板継目
５  ジョイント筋
５ａ  鉤状部
６  現場打ちコンクリート
７  連結筋
８  ジョイント筋ユニット
９  ボイド型枠
１０  ジョイント筋
１１  連結筋
【図１】
0003652316.tif 000002
【図２】
0003652316.tif 000003
【図３】
0003652316.tif 000004